(57)【要約】【課題】用紙の規制位置を安定して得ることができ、かつ、用紙がストッパに衝突する際の衝突音などによる紙折装置が発生する全体の騒音を低減することができるようにすること。【解決手段】用紙送りローラ３と、搬入する用紙を規制する位置調整可能の位置規制ストッパ６ａを有するバックル５ａと、位置規制ストッパ６ａによりバックル５ａの搬入口で撓む用紙の頂部位置を先頭に挟圧して折り畳み送り出す２個一対のローラ４ａ〜４ｅとを備えた紙折装置において、位置規制ストッパ６ａから所定の距離隔てたバックル５ａの搬入口側に用紙検出器８ａを設け、前記用紙検出器８ａが用紙を検出したとき用紙を送る各ローラ３、４ａ〜４ｅの回転速度を一時減速し、用紙の速度が最低となった時点で搬入する用紙の先端を位置規制ストッパ６ａに当接させる。【選択図】  図１
2007302383.tif 000002
【特許請求の範囲】
【請求項１】
用紙送りローラと、搬入する用紙の先端位置を規制する位置調整可能の位置規制ストッパを有するバックルと、前記位置規制ストッパによりバックルの搬入口で撓む用紙の頂部位置を先頭に挟圧して折り畳み送り出す２個一対のローラとを備えた紙折装置において、前記位置規制ストッパからバックルの搬入口側へ所定の距離隔てた位置に、前記バックルに搬入される用紙を検出する用紙検出器を設け、前記用紙検出器が用紙を検出したとき、その検出信号に基づいて前記各ローラの回転速度を一時減速し、用紙の搬送速度が減速した時点で搬入する用紙の先端を前記位置規制ストッパに当接してなることを特徴とする紙折装置。
【請求項２】
用紙検出器を位置規制ストッパと所定の距離隔てて連動させてなることを特徴とする請求項１に記載の紙折装置。
【発明の詳細な説明】
【技術分野】
【０００１】
本発明は、紙折装置に関するものである。
【背景技術】
【０００２】
給紙装置から送り出された一枚の用紙の先端を、用紙の折り畳み位置に対応して位置決めされたストッパを有するバックルに挿入し、バックルからはみでて撓む用紙の撓み頂部位置を先頭に２個一対のローラ間に送り、そのローラ間で挟圧して折り畳む紙折装置は周知である。このような紙折装置は、普通毎分１００枚以上の用紙の折り畳み動作が行われるが、この場合、各用紙は秒速９００ｍｍの速度でストッパと衝突する。この時の衝突音と用紙がバックル内で撓みバックル内壁面に当たる音や折り畳み音は、事務所などの環境では、騒音となって問題視される。
【０００３】
この騒音を低減する手段としてストッパの前面に衝突の衝撃を緩和する弾性部材を取り付けたり（特許文献１）、位置規制ストッパと弾性効果を持たせるスライドストッパを組み合わせたり（特許文献２）するものがある。
【特許文献１】特開平１１−１０６１２７号公報
【特許文献２】特開２００４−３４５７７３号公報
【発明の開示】
【発明が解決しようとする課題】
【０００４】
しかし、従来の騒音を低減する手段では、衝突音は緩和されるが、用紙がバックル内で撓みバックル内壁面に当たる音や折り畳むときのローラの噛み込み音は低減することができず、依然として騒音レベルが高いという問題、また弾性部材の変位やスライドストッパの動きの渋さによって、用紙の規制位置がバラツキやすいという問題があった。
【０００５】
本発明が解決しようとする課題は、用紙の規制位置を安定して得ることができ、かつ、用紙がストッパに衝突する際の衝突音はもとより、用紙がバックル内で撓みバックル内壁面に当たる音や折り畳むときのローラの噛み込み音など紙折装置が発生する全体の騒音を低減することができるようにし、斯かる問題を解消する点にある。
【課題を解決するための手段】
【０００６】
本発明は、用紙送りローラと、搬入する用紙の先端位置を規制する位置調整可能の位置規制ストッパを有するバックルと、前記位置規制ストッパによりバックルの搬入口で撓む用紙の頂部位置を先頭に挟圧して折り畳み送り出す２個一対のローラとを備えた紙折装置において、前記位置規制ストッパからバックルの搬入口側へ所定の距離隔てた位置に、前記バックルに搬入される用紙を検出する用紙検出器を設け、前記用紙検出器が用紙を検出したとき、その検出信号に基づいて前記各ローラの回転速度を一時減速し、用紙の搬送速度が減速した時点で搬入する用紙の先端を前記位置規制ストッパに当接してなることを主な特徴とする。
【発明の効果】
【０００７】
本発明では、バックルに装備された位置規制ストッパから所定の距離を隔てたバックル搬入口側に用紙検出器を配置し、この用紙検出器が用紙を検出したとき用紙を送るローラの回転速度を一時減速し、用紙の送り速度が最低となった時点で搬入する用紙の先端を位置規制ストッパに当接するので、用紙と位置規制ストッパとの衝突音は大きく緩和することができるとともに、ローラの回転速度にともなう用紙の搬送速度の減速により、用紙がバックル内で撓みバックル内壁面に当たる音や折り畳むときのローラの噛み込み音は大きく低減する。また、用紙の先端は位置規制ストッパに直接当接するので、常に安定した位置に規制することができる。
【発明を実施するための最良の形態】
【０００８】
用紙の規制位置を安定して得ることができ、かつ、用紙がストッパに衝突する際の衝突音はもとより、用紙がバックル内で撓みバックル内壁面に当たる音や折り畳むときのローラの噛み込み音など紙折装置が発生する全体の騒音を低減することができるようにする目的を、位置規制ストッパから所定の距離隔てたバックルの搬入口側に、前記バックルに搬入される用紙を検出する用紙検出器を設け、前記用紙検出器が用紙を検出したとき用紙を送る各ローラの回転速度を一時減速し、用紙の速度が最低となった時点で搬入する用紙の先端を位置規制ストッパに当接させることにより実現した。
【実施例】
【０００９】
以下、本発明に係る実施例について図を参照して説明する。図１は実施例に係る紙折装置の側面図、図２は図１に示すバックル部を拡大して示す側面図である。図１および図２において、１は給紙台、２は給紙ローラ、３は送りローラ、４ａ〜４ｅは折ローラ、５ａは第１バックル、５ｂは第２バックル、６ａおよび６ｂは位置規制ストッパ、７ａおよび７ｂはストッパ移動ベルト、８ａおよび８ｂは用紙検出器、９は排出ベルト、１０は排出ローラ、１１は排出トレイ、Ｐは用紙である。
【００１０】
ストッパ移動ベルト７ａは、第１バックル５ａに沿って移動し、このストッパ移動ベルト７ａに第１バックル５ａに搬入する用紙の先端位置を規制する位置規制ストッパ６ａと第１バックル５ａに搬入する用紙の先端を検出する用紙検出器８ａが固定されており、用紙検出器８ａは位置規制ストッパ６ａから所定の距離隔てた第１バックル５ａの搬入口側に位置している。ストッパ移動ベルト７ｂは、第２バックル５ｂに沿って移動し、このストッパ移動ベルト７ｂに第２バックル５ｂに搬入する用紙の先端位置を規制する位置規制ストッパ６ｂと第２バックル５ｂに搬入する用紙の先端を検出する用紙検出器８ｂが固定されており、用紙検出器８ｂは位置規制ストッパ６ｂから所定の距離隔てた第２バックル５ｂの搬入口側に位置している。
【００１１】
各位置規制ストッパ６ａ、６ｂは用紙Ｐの折り畳む位置に応じてその位置が決められる。たとえば用紙Ｐを３等分する位置の２箇所で折り畳むとすれば、第１バックル５ａにその用紙Ｐの２／３を搬入するので、その２／３に相当する位置にストッパ移動ベルト７ａを移動して位置決めされる。第２バックル５ｂには一箇所折り畳んだ用紙Ｐの１／２を搬入するので、その１／２に相当する位置にストッパ移動ベルト７ｂを移動して位置決めされる。
【００１２】
この位置決めを行った後、給紙台１上に積重ねた最上層の一枚の用紙Ｐを給紙ローラ２で送りローラ３と折ローラ４ａの間に送出され、送出された用紙Ｐの先端は、折ローラ４ａと４ｂ間を経て第１バックル５ａに搬入する。用紙Ｐの先端が位置規制ストッパ６ａに当接し、用紙Ｐの先端は停止する。このときその用紙Ｐの後部１／３は折ローラ４ａと４ｂに挟まれた状態にあり、折ローラ４ａと４ｂによってその用紙Ｐの送出は継続している。この送出によって用紙Ｐは第１バックル５ａの搬入口で撓み、その撓みの頂部を先端にして折ローラ４ｂと４ｃの間に送出され、これにより用紙Ｐの１箇所が折り畳まれる。
【００１３】
この折り畳みで排出することもできるが、さらに折り畳みを進める場合は、折り畳み部を先端にして折ローラ４ｃと４ｄの間に送出され、第２バックル５ｂに搬入する。折り畳み部を先端にした用紙Ｐの先端が位置規制ストッパ６ｂに当接し、用紙Ｐの先端は停止する。このときその用紙Ｐの後部１／３は折ローラ４ｂと４ｃに挟まれた状態にあり、折ローラ４ｂと４ｃによってその用紙Ｐの送出は継続している。この送出によって用紙Ｐは第２バックル５ｂの搬入口で撓み、その撓みの頂部を先端にして折ローラ４ｄと４ｅの間に送出され、これにより用紙Ｐの２箇所目が折り畳まれ、排出ベルト９と排出ローラ１０によってトレイ１１に排出される。この折り畳み動作が前述したように普通毎分１００枚以上行われる。
【００１４】
この実施例では、第１バックル５ａおよび第２バックル５ｂに搬入する用紙の先端を、位置規制ストッパ６ａおよび６ｂに当接する前に各バックル５ａ、５ｂに搬入する用紙の先端を検出する用紙検出器８ａおよび８ｂが配置され、用紙検出器８ａおよび８ｂが用紙の先端を検出したとき、その検出信号を、送りローラ３、および折ローラ４ａ〜４ｅを駆動するモータ（１個のモータでこれらのローラを駆動している。）の速度を制御する制御回路に送る。制御回路はこの検出信号を入力すると、図３および図４に示すように予め設定した一定時間モータの駆動回路に減速信号を出力し、その信号によりモータの回転、すなわち、各ローラの回転は滑らかに減速し、そのあと一定時間経過後の減速信号の解除にともない各ローラの回転はもとの速度に滑らかに復帰する。各ローラの回転が最も減速したとき、バックルに搬入された用紙Ｐの先端が位置規制ストッパ６ａおよび６ｂに当接する。すなわち、減速信号を出力する一定時間は、バックルのストッパに用紙が衝突する直前でモータの回転が減速完了させるように設定した時間である。
【００１５】
このように、用紙の先端が位置規制ストッパ６ａおよび６ｂに当接する前に用紙の搬送速度を減速するので、時間当たりの折り畳み処理数はその分少なくなるが、従来よりも搬送速度を高めることができるので、折り畳み処理数の低減を回避することができる。
【００１６】
なお、実施例では、用紙検出器を位置規制ストッパと連動させ、位置規制ストッパがどの位置に移動しても同一距離を保持するようにしているが、位置規制ストッパの位置をモータにより行う場合には、予めプログラムで位置規制ストッパの位置が決められているので、用紙検出器を固定し、ローラの回転数を検知するか時間で用紙検出器からの用紙の搬送進行量を計算で求め、その結果で減速するようにしてもよい。
【図面の簡単な説明】
【００１７】
【図１】本発明の実施例に係る紙折装置の側面図である。
【図２】図１に示す紙折装置のバックル部を拡大して示す側面図である。
【図３】図１に示す紙折装置の折り動作のタイミングチャートである。
【図４】図１に示す紙折装置の折り動作の流れ図である。
【符号の説明】
【００１８】
１    給紙台
２    給紙ローラ
３    送りローラ
４ａ〜４ｅ  折ローラ
５ａ    第１バックル
５ｂ    第２バックル
６ａ、６ｂ  位置規制ストッパ
７ａ、７ｂ  ストッパ移動ベルト
８ａ、８ｂ  用紙検出器
９    排出ベルト
１０  排出ローラ
１１  排出トレイ
【図１】
2007302383.tif 000003
【図２】
2007302383.tif 000004
【図３】
2007302383.tif 000005
【図４】
2007302383.tif 000006